(57)【要約】【課題】  物品情報を可視化し、ユーザが目視により変化する物品情報を管理できる物品管理方法および物品管理システムを提供する。【解決手段】  読取り装置１３０がコンピュータシステム１４０からの定期的に発信される表示更新要求に応じてＲＦタグ１１０の識別ＩＤを読取るものであり、コンピュータシステム１４０が読取り装置１３０が読取った識別ＩＤを受信して物品情報との照合を行い、照合された物品情報をアンテナ１２０を介してＲＦタグ１１０に送信するものであって、ＲＦタグ１１０は受信した物品情報を表示装置１１１に更新表示する。【選択図】図１
2009003489.tif 000002
【特許請求の範囲】
【請求項１】
物品情報を管理するためのデータベースを具備するコンピュータシステムとネットワークを介して接続された読取り装置と、該読取り装置とアンテナを介してデータの送受信を行う表示装置を具備するＲＦタグとを備え、前記コンピュータシステムからの定期的に発信される表示更新要求に応じて前記読取り装置により前記ＲＦタグの識別ＩＤを読取り、前記コンピュータシステムは読取り装置が読取った識別ＩＤを受信して物品情報との照合を行い、照合された物品情報を前記アンテナを介して前記ＲＦタグに送信して前記表示装置に更新表示する物品管理方法。
【請求項２】
物品情報を管理するためのデータベースを具備するコンピュータシステムとネットワークを介して接続された読取り装置と、該読取り装置とアンテナを介してデータの送受信を行う表示装置を具備するＲＦタグとを備え、前記読取り装置が前記コンピュータシステムからの定期的に発信される表示更新要求に応じてＲＦタグの識別ＩＤを読取るものであり、前記コンピュータシステムが読取り装置が読取った識別ＩＤを受信して物品情報との照合を行い、照合された物品情報を前記アンテナを介して前記ＲＦタグに送信するものであって、前記ＲＦタグは受信した物品情報を前記表示装置に更新表示する物品管理装置。
【請求項３】
前記ＲＦタグは、電子データの送受信部と、受信した電子データを表示する表示制御部とを備えた請求項２に記載のＲＦタグを用いた物品管理装置。
【請求項４】
前記表示装置がディスプレイ或いは発光体である請求項２に記載のＲＦタグを用いた物品管理装置。
【請求項５】
前記物品情報が、管理対象物品の時間の経過により変化する物品情報である請求項１に記載のＲＦタグを用いた物品管理方法。
【発明の詳細な説明】
【技術分野】
【０００１】
本発明は、表示装置付きのＲＦタグを用いた物品管理方法および物品管理システムに関する。
【背景技術】
【０００２】
ＲＦ（Radio Frequency）タグを用いた物品管理システムでは、一般的に、管理対象物品にＲＦタグを取付け、取付けたＲＦタグ内の情報を読取ることで物品管理を行う。ＲＦタグと管理対象物品とはＲＦタグの識別ＩＤで関連付けされており、物品情報と関連情報が紐付けされたコンピュータシステムや携帯端末により、ＲＦタグ読取り装置で読取ったＲＦタグの識別ＩＤにより、関連付した物品情報を照合している。
【０００３】
照合した物品情報は、読取り装置本体やコンピュータシステム装置，携帯端末装置などに表示され、ユーザはこれら装置に表示された情報を見ることで物品管理を実施することが出来る。
【０００４】
また、〔特許文献１〕には、対象物品に貼り付ける電子タグ毎に個別情報が格納されたＩＣチップと、ＩＣチップに電気的に接続されたアンテナコイルとを備え、ＩＣチップに格納した情報を電子タグ表面に表示するための電子ペーパの表示器を有することが記載されている。
【０００５】
【特許文献１】特開２００５−７１１４３号公報
【発明の開示】
【発明が解決しようとする課題】
【０００６】
しかし、上述した物品管理方法では、管理対象物品に取付けたＲＦタグをユーザが読取る作業が必要であり、また読取り照合した物品情報を読取り装置本体や携帯端末装置などで参照するため、煩雑で時間のかかる作業となる。
【０００７】
また、従来技術において、管理対象物品の物品情報をＲＦタグ表面に印字する方法があるが、時間により変化する物品情報は管理出来ないという問題がある。
【０００８】
また、〔特許文献１〕に記載の技術は、管理対象物品に記録された情報を表示しているもので、変化する情報を表示することには配慮がされていないものであった。
【０００９】
本発明の目的は、管理対象物品に取付けたＲＦタグ上に物品情報を可視化し、ユーザが目視により変化する物品情報を管理できる物品管理方法および物品管理システムを提供することにある。
【課題を解決するための手段】
【００１０】
上記目的を達成するために、本発明のＲＦタグを用いた物品管理装置は、読取り装置がコンピュータシステムからの定期的に発信される表示更新要求に応じてＲＦタグの識別ＩＤを読取るものであり、コンピュータシステムが読取り装置が読取った識別ＩＤを受信して物品情報との照合を行い、照合された物品情報をアンテナを介してＲＦタグに送信するものであって、ＲＦタグは受信した物品情報を前記表示装置に更新表示するものである。
【００１１】
また、ＲＦタグを用いた物品管理方法は、コンピュータシステムからの定期的に発信される表示更新要求に応じて読取り装置によりＲＦタグの識別ＩＤを読取り、コンピュータシステムは読取り装置が読取った識別ＩＤを受信して物品情報との照合を行い、照合された物品情報をアンテナを介して前記ＲＦタグに送信して表示装置に更新表示するものである。
【発明の効果】
【００１２】
本発明によれば、管理対象物品に取付けたＲＦタグの表示装置に表示された情報をユーザが参照することで、変化する物品情報を管理することができる。また、物品情報は定期的に更新され、時間の経過により変化する物品情報を管理することができる。
【発明を実施するための最良の形態】
【００１３】
本発明の一実施例を、図１から図４により説明する。図１は、本実施例の物品管理システムの構成を示す構成図である。
【００１４】
図１に示すように、物品管理システムは、管理対象物品に取付けられた表示装置１１１を具備したＲＦタグ１１０と、アンテナ１２０を介してＲＦタグ１１０内の情報を読取る読取り装置１３０と、アンテナ１２０とネットワーク１２５を介して接続され物品情報を管理するコンピュータシステム１４０で構成されている。ここで、ＲＦタグ１１０は、ＲＦＩＤ（Radio Frequency IDentification）ともいう。
【００１５】
コンピュータシステム１４０は、オペレーションシステム（ＯＳ）１４１，アプリケーションプログラム１４２，物品情報を管理するためのデータベース（ＤＢ）１４３等で構成されている。
【００１６】
読取り装置１３０は、マイクロ波を発信するための高周波回路部１３１と、データ送受信部１３２と、データ送受信部１３２及び高周波回路部１３１に電源を供給する電源部１３３で構成される。データ送受信部１３２は、記憶部１３５と、外部インターフェイス部１３４と、記憶部１３５及び外部インターフェイス部１３４の制御を行う制御部１３６で構成される。
【００１７】
ＲＦタグ１１０と読取り装置１３０はアンテナ１２０を介してデータ送受信を行う。ＲＦタグ１１０と読取り装置１３０のデータ送受信は、高周波回路部１３１によりアンテナ１２０から発せられる電磁波やマイクロ波を受けてＲＦタグ１１０に設けられたコイルから発せられる磁界が電磁結合して誘起起電力が発生することにより行われる。また、ＲＦタグ１１０には後述するように、電源回路を有してもよく、電源回路によりデータ送受信を行うようにしてもよい。
【００１８】
ＲＦタグ１１０と読取り装置１３０との通信では、読取り装置１３０からの問いかけに対してＲＦタグ１１０が識別ＩＤを返信する場合と、ＲＦタグ１１０自体から識別ＩＤを発信する場合がある。
【００１９】
読取り装置１３０は、アンテナ１２０を含むネットワーク環境を介して、コンピュータシステム１４０とデータ送受信を行い、コンピュータシステム１４０はＲＦタグ１１０とデータ送受信を行う。
【００２０】
表示装置を備えたＲＦタグ１１０の構成を図２により説明する。図２に示すように、ＲＦタグ１１０は、表示ディスプレイ１１３と表示ディスプレイ１１３の表示を制御する表示制御部１１２と、読取り装置１３０と通信するためのアンテナ１１８及び送受信部１１４，送信ロジック部１１５，記憶部１１７で構成される。
【００２１】
表示ディスプレイ１１３には、物品情報を文字やイメージとして表示する。また、表示装置は文字やイメージの表示に限られるものではなく、図３に示すように、表示装置として発光体１５１と、発光体を制御する発光制御部１５０を備え、発光体を光らせることで物品情報を表現するものであってもよい。
【００２２】
図４は、本実施例の物品管理方法を実行するためのフロー示した図である。コンピュータシステム１４０からは、ステップＳ１０で、ＲＦタグ１１０の表示装置１１１に表示する物品情報を定期的に照合するために表示更新要求が出される。
【００２３】
このコンピュータシステム１４０からの表示更新要求は、定期的なイベントとしてスケジュール化する、要求発生モジュールをアプリケーションプログラムに実装することにより実行される。ステップＳ１２では、表示更新要求Ｓ１１をうけてアンテナ１２０を介して、読取り装置１３０がＲＦタグ１１０の識別ＩＤを読取る。
【００２４】
また、上述したように、ステップＳ１３でＲＦタグ１１０が自ら識別ＩＤを発信し、ステップＳ１４で、発信した識別ＩＤを、アンテナ１２０を介して読取り装置１３０で受信するようにしてもよい。ステップＳ１４での識別ＩＤ受信は、受信する読取り装置１３０の読取り周期を制御し物品情報を照合する頻度を決定することができる。
【００２５】
読取り装置１３０で受信したＲＦタグ１１０の識別ＩＤは、アンテナ１２０を含むネットワーク１２５を介して、コンピュータシステム１４０に送信され、ステップＳ１５で、物品情報との照合が実行される。
【００２６】
ステップＳ１５で、物品情報との照合が行われると、照合した物品情報を用いて物品情報更新表示が行われる。
【００２７】
ステップＳ２１では、物品情報からＲＦタグ１１０に物品情報として表示する表示データを作成する。表示データは物品の管理対象に応じて作成され、例えば、管理対象物品が充電池であり、物品情報が充電日と充電有効期間であり、充電切れまでの残日数が物品管理の目的である場合は、充電日と充電有効期間とシステム時間から、充電切れまでの時間を算出し表示データとすることができる。
【００２８】
ステップＳ２２では、コンピュータシステム１４０からアンテナを含むネットワーク１２５を介してＲＦタグ１１０に表示データが送信され、ステップＳ２３でアンテナ１１８を介して受信する。
【００２９】
ステップＳ２４は、受信した表示データを記憶部１３５で記憶し、表示制御部１１２で処理し、表示ディスプレイ１１３に更新表示する。この結果、定期的に交信される物品情報が表示装置に更新表示される。
【図面の簡単な説明】
【００３０】
【図１】本発明の一実施例である物品管理システムの構成図である。
【図２】表示装置が表示ディスプレイであるＲＦタグの構成図である。
【図３】表示装置が発光体であるＲＦタグの構成図である。
【図４】本実施例の物品管理方法を実行するフロー示した図である。
【符号の説明】
【００３１】
１１０  ＲＦタグ
１１１  表示装置
１１２  表示制御部
１１３  表示ディスプレイ
１２０  アンテナ
１３０  読取り装置
１４０  コンピュータシステム
１５０  発光制御部
１５１  発光体
【図１】
2009003489.tif 000003
【図２】
2009003489.tif 000004
【図３】
2009003489.tif 000005
【図４】
2009003489.tif 000006